(57)【要約】【課題】既設管より枝分かれした分岐管を、前記既設管に対して不断流状態で異常状態を直して、もとのようにする分岐管の修復方法を提供すること。【解決手段】既設管Ｐに開閉弁５を有する密閉部材１を水密に取り付ける工程と、密閉部材１に取り付けた穿孔装置１３により、開閉弁５を介して既設管Ｐに挿入口を穿孔する工程と、穿孔装置１３に替えて密閉部材１に取り付けた挿排出手段により、挿入口より止水部材を既設管Ｐ内に挿入して分岐口を閉塞し、既設管Ｐから分岐管側への流れを止める工程と、止水された状態の分岐管を既設管Ｐより除去した後、分岐口に新たに分岐管を接続する工程と、止水部材を挿排出手段により既設管Ｐより排出した後、挿入口を閉塞する工程と、からなる。【選択図】図３
2007170528.tif 000002
【特許請求の範囲】
【請求項１】
既設管より枝分かれした分岐管を、前記既設管に対して不断流状態で修復する分岐管の修復方法であって、
前記既設管に開閉弁を有する密閉部材を水密に取り付ける工程と、前記密閉部材に取り付けた穿孔装置により、前記開閉弁を介して前記既設管に挿入口を穿孔する工程と、前記穿孔装置に替えて前記密閉部材に取り付けた挿排出手段により、前記挿入口より止水部材を既設管内に挿入して分岐口を閉塞し、既設管から分岐管側への流れを止める工程と、止水された状態の前記分岐管を既設管より除去した後、分岐口に新たに分岐管を接続する工程と、前記止水部材を前記挿排出手段により前記既設管より排出した後、前記挿入口を閉塞する工程と、からなることを特徴とする分岐管の修復方法。
【請求項２】
前記挿入口は、既設管の分岐管における分岐口に対向する位置に穿孔する請求項１に記載の分岐管の修復方法。
【請求項３】
前記挿排出手段は、前記開閉弁に水密に取り付けた挿排出フランジと、前記止水部材を挿排出する作動装置と、該作動装置を支持する支柱とで構成されている請求項１または２に記載の分岐管の修復方法。
【請求項４】
前記作動装置は、止水部材が一方の端部に装着されるシャフトと、前記シャフトの他方の端部を固定支持する固定部材と、ハンドルの回転で前記固定部材を進退移動する螺合部材とで構成されている請求項３に記載の分岐管の修復方法。
【請求項５】
前記止水部材は、前記分岐管における分岐口の少なくとも流体管内周面に当接して密着する止水体と、前記止水体を押圧する反力を受ける支持体とで構成されている請求項１ないし４に記載の分岐管の修復方法。
【請求項６】
前記挿排出手段により前記止水部材を排出した後に、密着栓体で前記挿入口を閉塞し、該密着栓体を水密に覆う保護部材を既設管に取り付ける請求項１ないし５に記載の分岐管の修復方法。
【発明の詳細な説明】
【技術分野】
【０００１】
本発明は、腐食等により管厚が薄くなって強度が不足したり、漏水しているなどの異常が発生している既設管より枝分かれした分岐管を、前記既設管に対して不断流状態で異常状態を直して、もとのようにする分岐管の修復方法に関する。
【背景技術】
【０００２】
従来、流体管等の既設管より枝分かれした分岐管に対しフランジ等を介して連結される例えば空気弁や補修弁等の管接続部材を前記既設管に対し不断流状態で交換する場合には、密閉ケースによって分岐管を管接続部材を含めて外部から覆い、分岐管のフランジの接離を密閉ケースの外から操作するとともに、管接続部材を交換するために密閉ケース内を仕切る開閉機構が用いられていた（特許文献１参照）。
【０００３】
【特許文献１】特許第３４９２３９１号公報（第３、４頁、図１）
【発明の開示】
【発明が解決しようとする課題】
【０００４】
しかしながら、この特許文献１に記載のものは、分岐管に取り付けられた管接続部材を交換するものであって、分岐管自体が腐食等により管厚が薄くなって強度が不足したり、漏水しているなどの異常が発生している場合には分岐管を修復することができないという問題があった。
【０００５】
本発明は、上記問題点を解決するためになされたもので、既設管より枝分かれした分岐管を、前記既設管に対して不断流状態で異常状態を直して、もとのようにする分岐管の修復方法を提供することを目的としている。
【課題を解決するための手段】
【０００６】
上記課題を解決するために、本発明の請求項1に記載の分岐管の修復方法は、既設管より枝分かれした分岐管を、前記既設管に対して不断流状態で修復する分岐管の修復方法であって、
前記既設管に開閉弁を有する密閉部材を水密に取り付ける工程と、前記密閉部材に取り付けた穿孔装置により、前記開閉弁を介して前記既設管に挿入口を穿孔する工程と、前記穿孔装置に替えて前記密閉部材に取り付けた挿排出手段により、前記挿入口より止水部材を既設管内に挿入して分岐口を閉塞し、既設管から分岐管側への流れを止める工程と、止水された状態の前記分岐管を既設管より除去した後、分岐口に新たに分岐管を接続する工程と、前記止水部材を前記挿排出手段により前記既設管より排出した後、前記挿入口を閉塞する工程と、からなることを特徴としている。
この特徴によれば、既設管に挿入口を穿孔し、その挿入口より止水部材を既設管内に挿入して分岐口を閉塞することにより分岐管の止水が行われるので、既設管に対して不断流状態で不具合のある分岐管を除去して、新しい分岐管を接続することができるので、既設管に対して不断流状態で分岐管の修復作業を行うことができる。
【０００７】
本発明の請求項２に記載の分岐管の修復方法は、請求項１に記載の分岐管の修復方法であって、前記挿入口は、既設管の分岐管における分岐口に対向する位置に穿孔することを特徴としている。
この特徴によれば、挿入口が分岐管の分岐口の対向位置に穿孔されるので、挿排出手段により止水部材を略まっすぐに挿入口より挿入するだけで分岐口の止水所定位置に移動させることができ、止水部材の挿排出の手段が簡易になり、また、その装置も単純な構造にすることができる。
【０００８】
本発明の請求項３に記載の分岐管の修復方法は、請求項１または２に記載の分岐管の修復方法であって、前記挿排出手段は、前記開閉弁に水密に取り付けた挿排出フランジと、前記止水部材を挿排出する作動装置と、該作動装置を支持する支柱とで構成されていることを特徴としている。
この特徴によれば、支柱に作動装置を支持させて、その作動装置により挿排出フランジを取り付けた開閉弁を介して止水部材を挿排出するので、不断水で安定して確実に止水部材を駆動できる。
【０００９】
本発明の請求項４に記載の分岐管の修復方法は、請求項３に記載の分岐管の修復方法であって、前記作動装置は、止水部材が一方の端部に装着されるシャフトと、前記シャフトの他方の端部を固定支持する固定部材と、ハンドルの回転で前記固定部材を進退移動する螺合部材とで構成されていることを特徴としている。
この特徴によれば、ハンドルを回転させるだけで止水部材を駆動できるので熟練を要することなく止水部材を挿排出して分岐管の修復作業を行うことができる。
【００１０】
本発明の請求項５に記載の分岐管の修復方法は、請求項１ないし４に記載の分岐管の修復方法であって、前記止水部材は、前記分岐管における分岐口の少なくとも流体管内周面に当接して密着する止水体と、前記止水体を押圧する反力を受ける支持体とで構成されていることを特徴としている。
この特徴によれば、止水部材を既設管内に挿入し、止水体を分岐口の流体管内面に密着させて支持体によりその状態を保持することができるので、流体管から分岐管側への流れを確実に止水し分岐口を閉塞して分岐管を止水常態とすることができる。
【００１１】
本発明の請求項６に記載の分岐管の修復方法は、請求項１ないし５に記載の分岐管の修復方法であって、前記挿排出手段により前記止水部材を排出した後に、密着栓体で前記挿入口を閉塞し、該密着栓体を水密に覆う保護部材を既設管に取り付けることを特徴としている。
この特徴によれば、密着栓体で挿入口を閉塞し、更に保護部材で密着栓体を水密に覆うので、挿入口の止水が２重に行われて水密に対する安全性が向上し、また、密着栓体を外部の影響から守ることができる。
【発明を実施するための最良の形態】
【００１２】
本発明の実施例を以下に説明する。
【実施例】
【００１３】
図１〜図２０は、本発明の一実施形態を示すもので、図１は本発明に係る分岐管に空気弁が取り付けられている状態を示す説明図、図２は本発明に係る分岐管の修復方法における最初の工程であって、密閉部材を流体管に取り付けた状態を示す説明図、図３は穿孔装置を密閉部材に設置し、流体管を穿孔する工程の説明図、図４は挿排出装置を取り付る工程の説明図、図５は挿排出装置により挿入口から止水部材を挿入し分岐管を止水する工程の説明図、図６は止水状態の分岐管を取り外し、新しく補修弁を介した空気弁を取り付けられる新たに分岐管を取り付ける工程の説明図、図７は流体管に新たな分岐管を取り付け、更に補修弁を介して空気弁を取り付けた状態の説明図、図８は止水部材に替えて密着栓体を取り付ける工程の説明図、図９は密着栓体を挿入口に設置して閉鎖する工程の説明図、図９は仮固定部材を取り付ける工程の説明図、図１０は密着栓体を仮溶接して抜け出しを防止する工程の説明図、図１１は、流体管より密閉部材および挿排出装置を取り外す工程の説明図、図１２は保護部材を流体管に固定する工程の説明図、図１３は保護部材内に充填材を充填した最終工程の説明図、図１４（ａ）は密着栓体の側面図、（ｂ）は（ａ）のＣ−Ｃ矢視図、（ｃ）は（ａ）のＤ−Ｄ断面図、図１５は仮固定部材を取り付ける工程の説明図、図１６は仮固定部材により密着栓体の抜け出しを防止して密閉部材を取り外す工程の説明図、図１７は保護部材をシャフトに挿通し、シャフトで密着栓体の抜け出しを防止する工程の説明図、図１８は仮固定部材を取り外したのちに保護部材を流体管に固定にする工程の説明図、図１９は挿排出装置を取り外し、キャップを設置した最終工程の説明図、図２０（ａ）は別の挿排出装置のＥ−Ｅ断面図、（ｂ）は（ａ）の底面図である。
【００１４】
図１に示すように、流体管Ｐの管内を流れる水道水中の空気を排出するために、あるいは管内が負圧にならないように流体管Ｐの所定箇所毎には空気弁ＡＶが設けられており、空気弁ＡＶは、流体管Ｐから枝分かれし分岐状に設けられた分岐管Ｂの上端にフランジを介して取り付けられている。分岐管Ｂは流体管Ｐが大口径になると、人孔の上部に空気弁用フランジふたとして設けられることもある。
【００１５】
通常は、空気弁ＡＶの修理、調整時に分岐管Ｂからの流れを開閉操作する補修弁Ｖが、流体管Ｐの分岐管Ｂに設けたフランジに取り付けられて、補修弁Ｖの上端にフランジを介して空気弁ＡＶが取り付けられている（図１３参照）。
【００１６】
図１のように補修弁Ｖが設けられていない空気弁ＡＶや、あるいは補修弁Ｖが設けられていてもその補修弁Ｖが故障等によって止水不良となった空気弁等の交換もさることながら、その空気弁ＡＶが取り付けられている分岐管Ｂが腐食などにより管厚が薄くなったり、あるいは漏水したりしていて、この分岐管Ｂを修復する必要がある場合が多々あり本工法の分岐管の修復方法が採用される。
【００１７】
以下、流体管Ｐより枝分かれし空気弁ＡＶ等が取り付けられている分岐管Ｂの修復をを不断流で行う方法を説明する。
【００１８】
まず、図２に示すように、流体管Ｐの外周面を清掃した後、分岐管Ｂの対向位置に開閉弁５が配置されるように流体管Ｐに水密に密閉部材１を取り付ける。密閉部材１を取り付けた後、開閉弁５にフランジ蓋を設置し水圧試験を行い水密性の確認を行う。
【００１９】
密閉部材１は、流体管Ｐの外周に水密に装着され、流体管Ｐの管軸の略直角方向を向いた分岐管部２ａの先端に設けた分岐フランジ２ｂに開閉弁５を取り付けた分岐部材２と、互いに対向して設けられた分岐部材２のフランジ部２ｃとフランジ部３ｂとを締結部材４で締結して取り付けるバンド部材３とで構成されている。
【００２０】
分岐部材２の分岐管部２ａの内周面に分岐フランジ２ｂが摺動可能に差し込まれ、その流体管Ｐ側に設けられた止水パッキンを管外周面に押し付けて止水している。分岐管部２ａと分岐フランジ２ｂとにまたがって設けられ相対移動および固定する調整ボルトが設けられている。分岐部材２とバンド部材３が流体管Ｐに取り付けられた後でも調整ボルトを作動させることにより止水パッキンを流体管Ｐに押圧することができる。
【００２１】
バンド部材３は、分岐管Ｂを跨いで所定の間隔をあけて設けられ、流体管Ｐの外周に沿って略半周に亘って形成されるバンド部３ａと、流体管Ｐの管軸に略平行で流体管Ｐの両側に設けられたフランジ部３ｂとよりなり、管頂部分で分割されボルト・ナットで一体となり、バンド部３ａ、３ａに間隔があいているので空気弁ＡＶの上方よりかぶせるようにして流体管Ｐに取り付けることができる。
【００２２】
分岐フランジ２ｂに取り付けられる開閉弁５は、弁軸を回動することにより弁体５ａが移動し通路を開閉する仕切弁であり、弁体５ａを閉の状態にしたときには、流体管Ｐに水密に取り付けられた分岐部材２の分岐管部２ａの内部に密閉空間を形成する。
【００２３】
次に、図３に示すように、知られている穿孔機１３（穿孔装置）を開閉弁５に取り付け、開閉弁５の弁体５ａを開状態とし、円筒形のホールソーカッター１３ａを図示しない油圧モーターなどで回転駆動し、かつ、ハンドル１３ｂの回転操作による送り作用で流体管Ｐの周壁に後述する止水部材８よりも大きな径の挿入口１４を穿孔する。穿孔終了後、ハンドル１３ｂの逆回転操作によりホールソーカッター１３ａは切片を回収しながら穿孔機１３側に引き戻され、開閉弁５の弁体５ａを閉状態とした後に穿孔機１３を開閉弁５より取り外す。
【００２４】
分岐管Ｂの対向位置に配置された開閉弁５に取り付けられた穿孔機１３により穿孔された挿入口１４は、分岐管Ｂの対向位置に設けられる。
【００２５】
次いで図４に示すように、挿排出手段である挿排出装置６を穿孔機１３に替えて設置する。挿排出装置６は、主として開閉弁５に取り付ける挿排出フランジ７と、分岐管Ｂを閉鎖する止水体８ａを有する止水部材８と、シャフト９に取り付けられた止水部材８を挿排出する作動装置１０と、この作動装置１０を支持する支柱１１、１１と、支柱１１、１１を所定の間隔を空けて流体管Ｐに取り付ける挟着具１２、１２とから構成されている。
【００２６】
挿排出フランジ７は、開閉弁５に水密に取り付けられるフランジが形成され、略中央にシャフト９が水密に貫通し、止水部材８を収容することができる凹状の収容部が形成されている。
【００２７】
止水部材８は、分岐管Ｂの流体管Ｐとの接続部の分岐口ＢＥに当接して止水する円錐形に形成された弾性体よりなる止水体８ａと、シャフト９に着脱自在に取り付けられ、止水体８ａを分岐口ＢＥに押し付けたときの反力を受ける支持体８ｃとよりなり、止水部材８の外径は、分岐管Ｂの内径よりも大きく、かつ、挿入口１４よりも小さく設定される。
【００２８】
密閉部材１の両側の流体管Ｐ外周に着脱自在に装着された挟着具１２、１２の鞍部にボルトにより着脱自在に取り付けられた一対の支柱１１、１１は中空の円筒形をしており、作動装置１０のガイド部１０ａの両端部に取り付けられている。
【００２９】
作動装置１０は、中央部にハンドル１０ｂが設けられ、ハンドル１０ｂを回転することにより両端部に設けた進退部材を作動させて送りネジ１０ｃを支柱１１内に進退させる機構を内蔵したガイド部１０ａと、略中央にシャフト９が固定され、両端に送りネジ１０ｃ、１０ｃが固定された固定部材１０ｄとよりなる。（図５参照）
【００３０】
ガイド部１０ａのハンドル１０ｂを回転すると、進退機構により送りネジ１０ｃが支柱１１に対して進退し、固定部材１０ｄに固定されたシャフト９も流体管Ｐに対して進退する。
【００３１】
挿排出装置６を設置した後、図５に示すように、開閉弁５の弁体５ａを開状態として、ガイド部１０ａのハンドル１０ｂを正回動して止水部材８を分岐管Ｂの方向に送り出し、所定の送り出しが終了した時点でハンドル１０ｂの回動を終了する。送り出された止水部材８は、穿孔機１３によって開けられた挿入口１４より流体管Ｐ内に入り込み、挿入口１４に対向した分岐管Ｂの分岐口ＢＥに当接し、止水体８ａが密着して流体管Ｐから分岐管Ｂへの流れを遮断する。止水体８ａが円錐形に形成されているので、自動的に分岐口ＢＥに対し芯あわせが行われ分岐口ＢＥの形状に倣って密着させることができ止水効果を高める。止水体８ａは先端が切り落とされた円錐台形でも同じ作用をする。
【００３２】
止水部材８を所定位置まで送った後、空気弁ＡＶより分岐管Ｂ側への止水が完了しているか確認し、止水が十分でない場合には、更にハンドル１０ｂを正回動して止水部材８を分岐Ｂの方向に更に送り、止水体８ａの圧着を強めて止水する。
【００３３】
止水部材８を送り出して止水する前に、分岐管Ｂの基の分岐口ＢＥの周辺のさびを落とす作業を行うと止水性が向上する。
【００３４】
分岐管Ｂ側の止水が確認できた後、図６に示すように、分岐管Ｂが止水部材８により閉鎖された状態になっているので、分岐管Ｂの根元をグラインダー等により切断し流体管Ｐより分離し撤去する。撤去後切断面をきれいに研磨し、切断面やその周囲に防錆材等を塗布する。
【００３５】
次に、新たな分岐管ＮＢを分岐芯を合わせて設置し溶接して流体管Ｐに取り付ける。分岐管ＮＢは、上部にフランジが形成され下端に所定の直径を有し、流体管Ｐの外周にあわせて形成された補強部ＮＢａがリブＮＢｂを伴って取り付けらた短管となっている。流体管Ｐに分岐管ＮＢを取り付ける溶接は、補強部ＮＢａの周端部で行われるため、溶接部分と止水部材８ａとに距離があることと、内部の流体により熱が奪われることにより、溶接による熱は止水部材８ａの止水性能に影響することがない。
【００３６】
分岐管ＮＢの取り付けが終了したら、図７に示すように、分岐管ＮＢのフランジに補修弁Ｖおよび空気弁ＡＶを取り付ける。補修弁Ｖおよび空気弁ＡＶは、分岐管ＮＢを溶接取り付けする前に設置してあってもよい。
【００３７】
分岐管ＮＢに補修弁Ｖおよび空気弁ＡＶを取り付けた後、ガイド部１０ａのハンドル１０ｂを逆回転させて止水部材８を流体管Ｐ内から後退させ、開閉弁５の弁体５ａよりも後方まで戻し、流体管Ｐ内から止水部材８を回収して開閉弁５の弁体５ａを閉状態とする。
【００３８】
次に、図８に示すように、挿排出フランジ７を開閉弁５より取り外し、シャフト９に止水部材８に替えて密着栓体１５を取り付け、再び挿排出フランジ７を開閉弁５に取り付ける。
【００３９】
密着栓体１５は図１４に示すように、押圧体１５ｂと支持体１５ｃにて挟圧されて挿入口１４に密着して止水する弾性体よりなる止水体１５ａと、シャフト９に着脱自在に取り付けられ、押圧体１５ｂの移動により止水体１５ａを挟圧するときの反力を受ける支持体１５ｃと、回転することにより押圧体１５ｂに固定されたネジ軸１５ｅに沿って押圧体１５ｂを移動させる回転体１５ｄとより構成される。
【００４０】
ネジ軸１５ｅは両側面に面取りを施され押圧体１５ｂに固定されおり、止水体１５ａ、支持体１５ｃの中央に設けられた貫通孔に回転不能に挿通してその先端に回転体１５ｄがねじ込まれている。
【００４１】
止水体１５ａ、押圧体１５ｂは流体管Ｐの径に倣った円弧状に湾曲している。
【００４２】
また、支持体１５ｃには、流体管Ｐの外周に当接して過度の挿入を防ぐ突起部１５ｆが膨出形成され、シャフト９の端部に設けられたフランジにボルトで取り付けるネジ孔１５ｇが螺設されている。
【００４３】
このように構成された密着栓体１５を、シャフト９の内部に設けられ、シャフト９の固定部材１０ｄ側の端部に形成された角頭部１０ｆを回転させると同調して回転するスピンドル１０ｅの一方の端部に形成された係合部を回転体１５ｄに嵌合させるとともに、シャフト９の端部のフランジにボルトによって着脱自在に固定し、挿排出フランジ７を開閉弁に取り付ける。
【００４４】
その後、図９に示すように、開閉弁５の弁体５ａを開状態とし、ガイド部１０ａのハンドル１０ｂを正回転し、密着栓体１５を挿入口１４の方向に送り出し、密着栓体１５に設けられた突起部１５ｆが流体管Ｐの外周面に当接し所定位置に到達したら、角頭部１０ｆを回転させると、スピンドル１０ｅが回転すると共に回転体１５ｄも回動し、押圧体１５ｂが支持体１５ｃ方向に移動して止水体１５ａを挟圧し、止水体１５ａは膨出し挿入口１４に密着して止水する。止水体１５ａは、挿入口１４の切断面に密着するので、切断面に錆びが発生するのを防ぐことができる。
【００４５】
次いで、図１０に示すように、シャフト９により密着栓体１５を押さえてその抜け出しを防止した状態で密閉部材１の締結部材４を取り外し、分岐部材２とバンド部材３を分離する。
【００４６】
その後、バンド部材３は流体管Ｐより取り外し、分岐部材２、開閉弁５は挿排出装置６に支持した状態で流体管Ｐより引き離して密着栓体１５の周囲に作業空間を確保した後、密着栓体１５と流体管Ｐ外周面とを部分的に溶接して仮止めを行う。
【００４７】
次いで、図１１に示すように、流体管Ｐよりシャフト９、支柱１１、１１、挟着具１２、１２、挿排出装置６を取り外す。密着栓体１５は、挿入口１４を閉塞し、溶接で固定されているので抜け出すことがない。
【００４８】
次いで、図１２に示すように、密着栓体１５を覆う保護部材１７を流体管Ｐ外周面に溶接して水密に取り付ける。保護部材１７は、密着栓体１５を外周から覆うキャップ部１７ａと流体管Ｐの外周面に沿った補強部１７ｂと、密着栓体１５に当接して抜け出しを防止する保持部材１７ｃとよりなる。保持部材１７ｃは、保護部材１７が取り付けられた後、外部より操作し内面に突出させて密着栓体１５に当接させる。
【００４９】
最後に図１３に示すように、保護部材１７に内部に図示していない２つのソケットの一方より充填材を注入し内部が充填された後２個のソケットを閉塞する。保護部材１７が水密に設置されることにより挿入口１４が二重に水密に閉鎖され、分岐管Ｂの修復作業が終了する。
【００５０】
従って、上記のような分岐管の修復方法によれば、分岐管Ｂや空気弁ＡＶの上方や周囲に従来の密閉ケースのような装置を立設することなく、穿孔機１３により流体管Ｐに挿入口１４を設け、その挿入口１４より止水部材８を流体管Ｐ内に挿入して分岐管Ｂを止水することができるので、分岐管Ｂや空気弁ＡＶの上方や周囲に作業スペースがなくとも管接続部材の脱着を不断水で行うことができる。既設管に挿入口を穿孔し、その挿入口より止水部材を既設管内に挿入して分岐口を閉塞することにより分岐管の止水が行われるので、既設管に対して不断流状態で不具合のある分岐管を除去して、新しい分岐管を接続することができるので、既設管に対して不断流状態で分岐管の修復作業を行うことができる。
【００５１】
また、挿入口１４が分岐管Ｂの分岐口ＢＥの対向位置に穿孔されるので、挿排出装置６により止水部材８を略まっすぐに挿入口１４より挿入するだけで分岐口ＢＥを止水するための所定位置に送ることができるので、止水部材８の挿排出の手段が簡単になり、挿排出装置６の構造も単純にすることができる。
【００５２】
そして、支柱１１、１１に作動装置１０を支持させて、その作動装置１０により挿排出フランジ７を取り付けた開閉弁５を介して止水部材８を挿排出するので、不断水で安定して確実に止水部材８を駆動できる。
【００５３】
更に、ハンドル１０ｂを回転させるだけで止水部材８を駆動できるので熟練を要することなく止水部材８を挿排出して分岐管Ｂの修復作業を行うことができる。
【００５４】
また、密着栓体１５で挿入口１４を閉塞し、更に保護部材１７で密着栓体１５を水密に覆うので、挿入口１４の止水が２重に行われて水密に対する安全性が向上し、また、密着栓体１５を外部の影響から守ることができる。
【００５５】
前記実施例においては、密着栓体は、流体管に溶接で固定された後に保護部材が取り付けられたが、以下に説明するように密着栓体を仮固定部材で一時的に固定して密閉部材を取り外して保護部材を取り付けてもよい。
【００５６】
実施例の図１０で示した、シャフト９により密着栓体１５を押さえてその抜け出しを防止した状態で密閉部材１の締結部材４を取り外し、分岐部材２とバンド部材３を分離した後、図１５に示すように、両端部に後述する保護部材のバンド部材１８ｅのフランジ部１８ｆと締結可能なフランジ部１６ａを形成した半割円筒状の仮固定部材１６を密着栓体１５に抜け出し防止に当接させると共にバンド部材１８ｅと締結部材４で締結し設置する。
【００５７】
このとき、密閉部材１のバンド部材３は撤去し、バンド部材３から分離された分岐部材２、開閉弁５は挿排出装置６に支持された状態となり、密着栓体１５は仮固定部材１６で押圧保持されて挿入口１４の封水状態が維持される。
【００５８】
次に、図１６に示すように、仮固定部材１６により抜け出しが防止された密着栓体１５よりシャフト９を取り外して、ハンドル１０ｂを逆回転させシャフト９を後退させた後、開閉弁５と挿排出フランジ７との接続を解除し、分岐部材２および開閉弁５を撤去する。
【００５９】
次いで、図１７に示すように、密着栓体１５を仮固定部材１６により押圧保持した状態で、後述する保護部材１８を挿通保持したシャフト９の先端を、作動装置１０のハンドル１０ｂを正回転させて送り出し、密着栓体１５に当接させてシャフト９により再び押圧保持する。
【００６０】
保護部材１８は、半割管形に形成され、バンド部材１８ｅのフランジ部１８ｆに対応するフランジ部１８ｂが設けられており、密着栓体１５の外面に当接する押さえ部１８ｃが形成されるとともに、シャフト９を挿通するための挿通口を形成したボス１８ｄが設けられている。
【００６１】
次いで、図１８に示すように、締結部材４をはずして仮固定部材１６とバンド部材１８ｅを分離して仮固定部材１６を撤去し、シャフト９に挿通保持されている保護部材１８を移動させて流体管Ｐ外周の片側に当接した状態で、この保護部材１８のフランジ部１８ｂとバンド部材１８ｅとが流体管Ｐ外周に確実に本固定される。この場合必ずしもバンド部材１８ｅを使用するとは限らず、密閉部材のバンド部材３を使用してもよい。
【００６２】
保護部材１８を流体管Ｐ外周に水密に取り付けた後、シャフト９、支柱１１、１１、挟着具１２、１２、挿排出装置６が取り外され、最後に図１９に示すように、保護部材１８のボス１８ｄ内周にキャップ１８ａを水密に螺着することで挿入口１４が二重に水密に閉鎖され、分岐管Ｂが分岐管ＮＢに修復交換されて作業が終了する。
【００６３】
上記のような修復方法をとれば、流体管Ｂに溶接することなく保護部材を取り付けることができる。
【００６４】
また、前記実施例においては、分岐口ＢＥを塞ぐ止水部材８を挿排出する挿排出装置６を使用して、挿入口１４を塞ぐ密着栓体１５を設置していたが、それぞれ別の装置を用いてもよく、図２０に示すような挿排出装置６′で止水部材８を挿排出し、密着栓体１５の設置を前記挿排出装置６で行うこともできる。
【００６５】
挿排出装置６′は、挿排出装置６同様に開閉弁５に取り付ける挿排出フランジ７′と、分岐管Ｂを閉鎖する止水体８ａを有する止水部材８′と、シャフト９′に取り付けられた止水部材８′を挿排出する作動装置１０′と、この作動装置１０を支持する支柱１１′、１１′とから構成されている。
【００６６】
挿排出フランジ７′は、開閉弁５に水密に取り付けられるフランジが形成され、略中央にシャフト９′が水密に貫通し、止水部材８′を収容することができる凹状の収容部が形成されている。
【００６７】
止水部材８′は、分岐管Ｂの流体管Ｐとの接続部の分岐口ＢＥの流体管Ｐ内周面に当接して止水する弾性体よりなる止水体８ａと、シャフト９′に着脱自在に取り付けられ、止水体８ａを分岐口ＢＥに押し付けたときの反力を受ける支持体８ｃと、円錐台に形成され先端中央に設けられた案内部８ｂとよりなり、止水部材８′の外径は、分岐管Ｂの内径よりも大きく、かつ、挿入口１４よりも小さく設定される。
【００６８】
作動装置１０′は、端部に着脱自在にハンドル１０′ｂが設けられ、ハンドル１０ｂを回転することにより回動する送りネジ１０′ｃと、送りネジ１０′ｃを回転可能に支持するガイド部１０′ａと、略中央にシャフト９が固定され、送りネジ１０′ｃが螺合された固定部材１０′ｄとよりなる。
【００６９】
挿排出フランジ７′の中央には、水密に摺動可能なシャフト９′が設けられ、その周囲に固定された一対の支柱１１′、１１′と回転自在に設けられた送りネジ１０′ｃが略平行に等間隔に立設されている。支柱１１′、１１′の端部に固定された円盤状のガイド部１０′ａが、送りネジ１０′ｃの端部を突出させて回転自在に支持している。
【００７０】
略中央にシャフト９′を固定した固定部材１０′ｄが、一対の支柱１１′、１１′に摺動可能に貫通され、また、送りネジ１０′ｃに螺合して取り付けられている。
【００７１】
シャフト９′は、二重構造に形成され円筒状をなし、流体管Ｐ側端部に止水部材８′が固定され、他端部は、二重構造の外筒部が固定部材１０′ｄに固定されている。
【００７２】
シャフト９′の内軸は、外筒部に対して回転自在に設けられており、先端にスクレーパーを取り付けて、流体管Ｐ内に挿入した後に管内壁に接触させた状態で回転させ、錆び等を取り除くことができるようになっている。
【００７３】
送りネジ１０′ｃの端部に取り付けたハンドル１０′ｂを回動すると、送りネジ１０′ｃに螺合している固定部材１０′ｄが支柱１１′、１１′によって回転不能とされているので支柱１１′、１１′に案内、支持されながら前後に移動し、固定部材１０′ｄに固定されているシャフト９′も挿排出フランジ７′、開閉弁５を介して流体管Ｐに挿排出移動し、止水部材８′も挿排出される。
【００７４】
挿排出装置は挿入ストロークが流体管Ｐの管径分長く必要なので挿入口閉塞用の工具と別に設けたほうが工具類は経済的になる。
【００７５】
以上、本発明の実施例を図面により説明してきたが、本発明の具体的な構成はこれに限定されるものではない。
【００７６】
例えば、実施例での、密着栓体は分岐部材とバンド部材を締結部材で着脱自在に設置されているが、分岐部材を溶接して固定してもよい。この場合は、分岐部材のフランジ部に蓋をして保護部材に替えることができる。
【００７７】
また、密着栓体は分岐部材とバンド部材の３分割であったが、２分割、４分割であってもよい。
【図面の簡単な説明】
【００７８】
【図１】本発明に係る分岐管に空気弁が取り付けられている状態を示す説明図。
【図２】本発明に係る分岐管の修復方法における最初の工程であって、密閉部材を流体管に取り付けた状態を示す説明図。
【図３】穿孔装置を密閉部材に設置し、流体管を穿孔する工程の説明図。
【図４】挿排出装置を取り付る工程の説明図。
【図５】挿排出装置により挿入口から止水部材を挿入し分岐管を止水する工程の説明図。
【図６】止水状態の分岐管を取り外し、新しく補修弁を介した空気弁を取り付けられる新たな分岐管を取り付ける工程の説明図。
【図７】流体管に新たな分岐管を取り付け、更に補修弁を介して空気弁を取り付けた状態の説明図。
【図８】止水部材に替えて密着栓体を取り付ける工程の説明図。
【図９】密着栓体を挿入口に設置して閉鎖する工程の説明図。
【図１０】密着栓体を仮溶接して抜け出しを防止しする工程の説明図。
【図１１】流体管より密閉部材および挿排出装置を取り外す工程の説明図。
【図１２】保護部材を流体管に固定にする工程の説明図。
【図１３】保護部材に充填材を充填した最終工程の説明図。
【図１４】（ａ）は密着栓体の側面図、（ｂ）は（ａ）のＣ−Ｃ矢視図、（ｃ）は（ａ）のＤ−Ｄ断面図である。
【図１５】仮固定部材を取り付ける工程の説明図。
【図１６】仮固定部材により密着栓体の抜け出しを防止して密閉部材を取り外す工程の説明図。
【図１７】保護部材をシャフトに挿通し、シャフトで密着栓体の抜け出しを防止する工程の説明図。
【図１８】仮固定部材を取り外したのちに保護部材を流体管に固定にする工程の説明図。
【図１９】挿排出装置を取り外し、キャップを設置した最終工程の説明図。
【図２０】（ａ）は別の挿排出装置のＥ−Ｅ断面図、（ｂ）は（ａ）の底面図である。
【符号の説明】
【００７９】
１                密閉部材
２                分岐部材
２ａ              分岐管部
２ｂ              分岐フランジ
２ｃ              フランジ部
３                バンド部材
３ａ              バンド部
３ｂ              フランジ部
４                締結部材
５                開閉弁
５ａ              弁体
６、６′          挿排出装置（挿排出手段）
７、７′          挿排出フランジ
８、８′          止水部材
８ａ              止水体
８ｂ              案内部
８ｃ              支持体
９、９′          シャフト
１０、１０′      作動装置
１０ａ            ガイド部
１０ｂ            ハンドル
１０ｃ            送りネジ（螺合部材）
１０ｄ            固定部材
１０ｅ            スピンドル
１０ｆ            角頭部
１１、１１′      支柱
１２              挟着具
１３              穿孔機（穿孔装置）
１３ａ            ホールソーカッター
１３ｂ            ハンドル
１４              挿入口
１５              密着栓体
１５ａ            止水体
１５ｂ            押圧体
１５ｃ            支持体
１５ｄ            回転体
１５ｅ            ネジ軸
１５ｆ            突起部
１５ｇ            ネジ孔
１６              仮固定部材
１６ａ            フランジ部
１７              保護部材
１７ａ            キャップ部
１７ｂ            補強部
１７ｃ            保持部材
１８              保護部材
１８ａ            キャップ
１８ｂ            フランジ部
１８ｃ            押さえ部
１８ｄ            ボス
１８ｅ            バンド部材
１８ｆ            フランジ部
Ｐ                流体管（既設管）
Ｂ                分岐管
ＮＢ              分岐管
ＮＢａ            補強部
ＮＢｂ            リブ
ＢＥ              分岐口
ＡＶ              空気弁
Ｖ                補修弁
【図１】
2007170528.tif 000003
【図２】
2007170528.tif 000004
【図３】
2007170528.tif 000005
【図４】
2007170528.tif 000006
【図５】
2007170528.tif 000007
【図６】
2007170528.tif 000008
【図７】
2007170528.tif 000009
【図８】
2007170528.tif 000010
【図９】
2007170528.tif 000011
【図１０】
2007170528.tif 000012
【図１１】
2007170528.tif 000013
【図１２】
2007170528.tif 000014
【図１３】
2007170528.tif 000015
【図１４】
2007170528.tif 000016
【図１５】
2007170528.tif 000017
【図１６】
2007170528.tif 000018
【図１７】
2007170528.tif 000019
【図１８】
2007170528.tif 000020
【図１９】
2007170528.tif 000021
【図２０】
2007170528.tif 000022